(57)【要約】【課題】着用者の動作等に伴って衣類が変形した場合でも、導電性繊維に対して過度の応力が作用することがなくて破損が生じにくく、更には脱着を容易に行うことが可能である、導電性繊維と電気的接合可能なコネクタを提供すること。【解決手段】布地表面に導電性繊維が織り込まれた衣類に取り付けられるコネクタであって、前記導電性繊維に密接して電気的接合を形成する接触部と、前記導電性繊維の周囲の布地に対して固定される固定部と、前記導電性繊維に対して外部の電子機器を電気的に接続するための導線を固定する導線接続部とを備えている。【選択図】図２
2009105027.tif 000002
【特許請求の範囲】
【請求項１】
布地表面に導電性繊維が織り込まれた衣類に取り付けられるコネクタであって、
前記導電性繊維に密接して電気的接合を形成する接触部と、
前記導電性繊維の周囲の布地に対して固定される固定部と、
前記導電性繊維に対して外部の電子機器を電気的に接続するための導線を固定する導線接続部とを備えていることを特徴とする導電性繊維と電気的接合可能なコネクタ。
【請求項２】
前記導線接続部が、前記接触部と一体に形成された雌部材と、前記導線が固定される雄部材とから構成されており、
該雄部材及び雌部材は互いに係脱可能であることを特徴とする請求項１記載の導電性繊維と電気的接合可能なコネクタ。
【請求項３】
前記接触部を備えた部材と、前記固定部を備えた部材とが別部材から構成されており、
前記接触部を備えた部材が布地の表面側に配置され、前記固定部を備えた部材が布地の裏面側に配置されることにより布地を挟み込むことを特徴とする請求項１又は２記載の導電性繊維と電気的接合可能なコネクタ。
【請求項４】
前記接触部を備えた部材と、前記固定部を備えた部材と、前記導線接続部を備えた部材とが夫々別部材とされており、
前記接触部を備えた部材と、前記導線接続部を備えた部材は、互いに係脱可能な雄部材及び雌部材からなることを特徴とする請求項３記載の導電性繊維と電気的接合可能なコネクタ。
【請求項５】
前記導線接続部に複数本の導線が固定されることを特徴とする請求項１乃至４いずれかに記載の導電性繊維と電気的接合可能なコネクタ。
【請求項６】
布地表面に導電性繊維が織り込まれた衣類に取り付けられるコネクタであって、
前記導電性繊維に密接して電気的接合を形成する接触部と、
前記導電性繊維の周囲の布地に対して固定される固定部とを備えており、
前記接触部と前記導電性繊維との間に、外部の電子機器の端子又は該端子に接続された導線が挟まれて固定されることを特徴とする導電性繊維と電気的接合可能なコネクタ。
【請求項７】
前記固定部が、前記接触部と一体に形成され且つ前記布地を貫通した後に折曲される複数の突片からなることを特徴とする請求項１乃至６いずれかに記載の導電性繊維と電気的接合可能なコネクタ。
【請求項８】
前記固定部が、前記接触部を構成する面に対して上方及び下方に突出していることを特徴とする請求項７記載の導電性繊維と電気的接合可能なコネクタ。
【請求項９】
前記突片が、前記接触部を構成するプレートの対向する二辺に沿って夫々設けられており、一方の辺に沿って設けられた突片と他方の辺に沿って設けられた突片が、折り曲げたときに重ならない位置にずらして配置されていることを特徴とする請求項７又は８記載の導電性繊維と電気的接合可能なコネクタ。
【請求項１０】
前記布地と前記接触部との間が導電性接着剤で封止されていることを特徴とする請求項１乃至９いずれかに記載の導電性繊維と電気的接合可能なコネクタ。
【請求項１１】
前記接触部の表面を覆う可撓性素材からなるカバーを備えていることを特徴とする請求項１乃至１０いずれかに記載の導電性繊維と電気的接合可能なコネクタ。
【請求項１２】
前記接触部が、複数本の前記導電性繊維に密接可能な面積を有することを特徴とする請求項１乃至１１いずれかに記載の導電性繊維と電気的接合可能なコネクタ。
【請求項１３】
前記接触部が、導電性繊維が織り込まれた布地からなることを特徴とする請求項１２記載の導電性繊維と電気的接合可能なコネクタ。
【請求項１４】
前記コネクタが互いに係脱可能な雄型コネクタと雌型コネクタからなり、
前記雌型コネクタの複数個が、衣類を構成する布地に織り込まれた複数本の導電性繊維に対して前記接触部が密接するように、該布地に対して夫々所定間隔を有して固定され、
前記雄型コネクタの複数個が、前記布地とは異なる１枚の布地に対して夫々前記所定間隔を有して固定されている
ことを特徴とする請求項１乃至１３いずれかに記載の導電性繊維と電気的接合可能なコネクタ。
【請求項１５】
前記接触部は、前記導電性繊維と接触する部分に凹部を有していることを特徴とする請求項１乃至１４いずれかに記載の導電性繊維と電気的接合可能なコネクタ。
【請求項１６】
前記布地裏面に密接されるプレートを備えており、
該プレートには、前記突片が挿入される孔が形成されていることを特徴とする請求項７記載の導電性繊維と電気的接合可能なコネクタ。
【請求項１７】
前記プレートが前記接触部と一体化されていることを特徴とする請求項１６記載の導電性繊維と電気的接合可能なコネクタ。
【請求項１８】
前記導電性繊維に使用される導電性物質に比べてイオン化傾向の小さい金属により製作されていることを特徴とする請求項１乃至１７いずれかに記載の導電性繊維と電気的接合可能なコネクタ。
【請求項１９】
前記導電性繊維に使用される導電性物質に比べてイオン化傾向の小さい金属により被覆されていることを特徴とする請求項１乃至１７いずれかに記載の導電性繊維と電気的接合可能なコネクタ。
【請求項２０】
前記固定部が、前記接触部とは別部材であって且つ該接触部を構成する部材を貫通することを特徴とすることを特徴とする請求項１，２又は６記載の導電性繊維と電気的接合可能なコネクタ。
【請求項２１】
前記固定部が、打込みリベット又は先端が尖っている釘状の部材からなることを特徴とする請求項２０記載の導電性繊維と電気的接合可能なコネクタ。
【請求項２２】
表面が絶縁性を有する樹脂で被覆されていることを特徴とする請求項１乃至２１いずれかに記載の導電性繊維と電気的接合可能なコネクタ。
【発明の詳細な説明】
【技術分野】
【０００１】
本発明は、衣類に織り込まれた導電性繊維に対して電気的接合が可能であり、いわゆるウェアラブル・コンピュータへの適用が可能なコネクタに関する。
【背景技術】
【０００２】
近年、電子機器を身体に装着する、いわゆる「ウェアラブル・コンピュータ」の研究・開発が盛んに行われている。
一例として、布地に導電性繊維が織り込まれ、自身に電気回路が組み立てられることにより電子部品機能を有する衣類が開発されている（例えば、特許文献１参照）。
このような衣類では、自身に形成された電気回路と、外部の電子機器とを電気的に接続するために、布地に織り込まれた導電性繊維と電子機器の配線やコネクタ等の金属体とを物理的に接合する必要がある。
【０００３】
導電性繊維と金属体とを接合する方法としては、半田付け、圧着、接着等の方法が挙げられる。
しかしながら、これらの接合方法はいずれも、着用者の動作等に伴って衣類が変形した場合、導電性繊維のみが直接引っ張られることになるため、繰り返しの曲げ応力が導電性繊維に作用して短期間で破損してしまうという問題を有していた。
更に、半田付けによる接合の場合、導電性繊維の繊維部が溶けて金属糸のみが残ることになるため、強度が大きく低下してしまい、より破損し易くなるという問題があった。
【０００４】
また、衣類は洗濯されることがあるため、洗濯の際には衣類と外部の電子機器との接続を外す必要があるが、上記したような半田付け、圧着、接着等による従来の接合方法を用いた場合、取り外しや再接合を簡単に行うことができなかった。
【０００５】
【特許文献１】特表２００４−５１４０６８号公報
【発明の開示】
【発明が解決しようとする課題】
【０００６】
本発明は、上記したような従来技術の問題点を解決すべくなされたものであって、着用者の動作等に伴って衣類が変形した場合でも、導電性繊維に対して過度の応力が作用することがなくて破損が生じにくく、更には脱着を容易に行うことが可能である、導電性繊維と電気的接合可能なコネクタを提供するものである。
【課題を解決するための手段】
【０００７】
請求項１に係る発明は、布地表面に導電性繊維が織り込まれた衣類に取り付けられるコネクタであって、前記導電性繊維に密接して電気的接合を形成する接触部と、前記導電性繊維の周囲の布地に対して固定される固定部と、前記導電性繊維に対して外部の電子機器を電気的に接続するための導線を固定する導線接続部とを備えていることを特徴とする導電性繊維と電気的接合可能なコネクタに関する。
【０００８】
請求項２に係る発明は、前記導線接続部が、前記接触部と一体に形成された雌部材と、前記導線が固定される雄部材とから構成されており、該雄部材及び雌部材は互いに係脱可能であることを特徴とする請求項１記載の導電性繊維と電気的接合可能なコネクタに関する。
【０００９】
請求項３に係る発明は、前記接触部を備えた部材と、前記固定部を備えた部材とが別部材から構成されており、前記接触部を備えた部材が布地の表面側に配置され、前記固定部を備えた部材が布地の裏面側に配置されることにより布地を挟み込むことを特徴とする請求項１又は２記載の導電性繊維と電気的接合可能なコネクタに関する。
【００１０】
請求項４に係る発明は、前記接触部を備えた部材と、前記固定部を備えた部材と、前記導線接続部を備えた部材とが夫々別部材とされており、前記接触部を備えた部材と、前記導線接続部を備えた部材は、互いに係脱可能な雄部材及び雌部材からなることを特徴とする請求項３記載の導電性繊維と電気的接合可能なコネクタに関する。
【００１１】
請求項５に係る発明は、前記導線接続部に複数本の導線が固定されることを特徴とする請求項１乃至４いずれかに記載の導電性繊維と電気的接合可能なコネクタに関する。
【００１２】
請求項６に係る発明は、布地表面に導電性繊維が織り込まれた衣類に取り付けられるコネクタであって、前記導電性繊維に密接して電気的接合を形成する接触部と、前記導電性繊維の周囲の布地に対して固定される固定部とを備えており、前記接触部と前記導電性繊維との間に、外部の電子機器の端子又は該端子に接続された導線が挟まれて固定されることを特徴とする導電性繊維と電気的接合可能なコネクタに関する。
【００１３】
請求項７に係る発明は、前記固定部が、前記接触部と一体に形成され且つ前記布地を貫通した後に折曲される複数の突片からなることを特徴とする請求項１乃至６いずれかに記載の導電性繊維と電気的接合可能なコネクタに関する。
【００１４】
請求項８に係る発明は、前記固定部が、前記接触部を構成する面に対して上方及び下方に突出していることを特徴とする請求項７記載の導電性繊維と電気的接合可能なコネクタに関する。
【００１５】
請求項９に係る発明は、前記突片が、前記接触部を構成するプレートの対向する二辺に沿って夫々設けられており、一方の辺に沿って設けられた突片と他方の辺に沿って設けられた突片が、折り曲げたときに重ならない位置にずらして配置されていることを特徴とする請求項７又は８記載の導電性繊維と電気的接合可能なコネクタに関する。
【００１６】
請求項１０に係る発明は、前記布地と前記接触部との間が導電性接着剤で封止されていることを特徴とする請求項１乃至９いずれかに記載の導電性繊維と電気的接合可能なコネクタに関する。
【００１７】
請求項１１に係る発明は、前記接触部の表面を覆う可撓性素材からなるカバーを備えていることを特徴とする請求項１乃至１０いずれかに記載の導電性繊維と電気的接合可能なコネクタに関する。
【００１８】
請求項１２に係る発明は、前記接触部が、複数本の前記導電性繊維に密接可能な面積を有することを特徴とする請求項１乃至１１いずれかに記載の導電性繊維と電気的接合可能なコネクタに関する。
【００１９】
請求項１３に係る発明は、前記接触部が、導電性繊維が織り込まれた布地からなることを特徴とする請求項１２記載の導電性繊維と電気的接合可能なコネクタに関する。
【００２０】
請求項１４に係る発明は、前記コネクタが互いに係脱可能な雄型コネクタと雌型コネクタからなり、前記雌型コネクタの複数個が、衣類を構成する布地に織り込まれた複数本の導電性繊維に対して前記接触部が密接するように、該布地に対して夫々所定間隔を有して固定され、前記雄型コネクタの複数個が、前記布地とは異なる１枚の布地に対して夫々前記所定間隔を有して固定されていることを特徴とする請求項１乃至１３いずれかに記載の導電性繊維と電気的接合可能なコネクタに関する。
【００２１】
請求項１５に係る発明は、前記接触部は、前記導電性繊維と接触する部分に凹部を有していることを特徴とする請求項１乃至１４いずれかに記載の導電性繊維と電気的接合可能なコネクタに関する。
【００２２】
請求項１６に係る発明は、前記布地裏面に密接されるプレートを備えており、該プレートには、前記突片が挿入される孔が形成されていることを特徴とする請求項７記載の導電性繊維と電気的接合可能なコネクタに関する。
【００２３】
請求項１７に係る発明は、前記プレートが前記接触部と一体化されていることを特徴とする請求項１６記載の導電性繊維と電気的接合可能なコネクタに関する。
【００２４】
請求項１８に係る発明は、前記導電性繊維に使用される導電性物質に比べてイオン化傾向の小さい金属により製作されていることを特徴とする請求項１乃至１７いずれかに記載の導電性繊維と電気的接合可能なコネクタに関する。
【００２５】
請求項１９に係る発明は、前記導電性繊維に使用される導電性物質に比べてイオン化傾向の小さい金属により被覆されていることを特徴とする請求項１乃至１７いずれかに記載の導電性繊維と電気的接合可能なコネクタに関する。
【００２６】
請求項２０に係る発明は、前記固定部が、前記接触部とは別部材であって且つ該接触部を構成する部材を貫通することを特徴とすることを特徴とする請求項１，２又は６記載の導電性繊維と電気的接合可能なコネクタに関する。
【００２７】
請求項２１に係る発明は、前記固定部が、打込みリベット又は先端が尖っている釘状の部材からなることを特徴とする請求項２０記載の導電性繊維と電気的接合可能なコネクタに関する。
【００２８】
請求項２２に係る発明は、表面が絶縁性を有する樹脂で被覆されていることを特徴とする請求項１乃至２１いずれかに記載の導電性繊維と電気的接合可能なコネクタに関する。
【発明の効果】
【００２９】
請求項１に係る発明によれば、導電性繊維の周囲の布地に対して固定される固定部を備えているため、着用者の動作等に伴って衣類の布地が変形した場合においても、導電性繊維に対して直接大きな応力が作用することがなく、破損が生じにくい。また、半田付けを必要としないため、接触部として防錆性や弾性に優れた素材を適宜選択して使用することが可能となり、コネクタを高機能化することができる。
【００３０】
請求項２に係る発明によれば、導線接続部が、接触部と一体に形成された雌部材と、導線が固定される雄部材とから構成されており、該雄部材及び雌部材は互いに係脱可能であることにより、衣類に対して外部の電子機器の接続及び離脱を簡単に行うことができ、衣類を洗濯することが可能となる。
【００３１】
請求項３に係る発明によれば、接触部を備えた部材と、固定部を備えた部材とが別部材から構成されており、接触部を備えた部材が布地の表面側に配置され、固定部を備えた部材が布地の裏面側に配置されることにより布地を挟み込むことにより、布地に対して確実にコネクタを固定することが可能となる。
【００３２】
請求項４に係る発明によれば、接触部を備えた部材と、固定部を備えた部材と、導線接続部を備えた部材とが夫々別部材とされており、接触部を備えた部材と、導線接続部を備えた部材は、互いに係脱可能な雄部材及び雌部材からなることにより、衣類に対して外部の電子機器の接続及び離脱を簡単に行うことができ、衣類を洗濯することが可能となる。
【００３３】
請求項５に係る発明によれば、導線接続部に複数本の導線を固定することにより、複数の情報を複数の電子機器に供給することが可能となる。
【００３４】
請求項６に係る発明によれば、コネクタが導線接続部を有していないことから、小型化が容易であり、衣類表面の様々な箇所においてコネクタを目立たせずに装着することが可能となり、衣類の意匠性に優れたものとなる。
【００３５】
請求項７に係る発明によれば、固定部が布地を貫通した後に折曲される複数の突片からなることにより、簡易な構成によってコネクタを確実且つ容易に布地に取り付けることが可能となる。
【００３６】
請求項８に係る発明によれば、固定部が接触部を構成する面に対して上方及び下方に突出していることにより、１つのコネクタを２枚の布に接合することが可能となる。
【００３７】
請求項９に係る発明によれば、突片同士が折り曲げたときに重ならないため、コネクタを布地に対して強固に固定することができる。また、布地の裏面側におけるコネクタの厚みを薄くすることができる。
【００３８】
請求項１０に係る発明によれば、布地と接触部との間が導電性接着剤で封止されていることにより、接触部と導電性繊維との間で安定した電気的接合を得ることが可能となる。
【００３９】
請求項１１に係る発明によれば、接触部の表面を覆う可撓性素材からなるカバーを備えていることにより、接触部が金属等の剛性部材からなる場合において、布地が変形した場合における導電性繊維への応力集中を緩和することができ、導電性繊維の破断を防止することが可能となる。
【００４０】
請求項１２に係る発明によれば、接触部が複数本の導電性繊維に密接可能な面積を有することにより、１つのコネクタで複数本の導電性繊維との電気的接合を得ることが可能となり、コネクタの数を削減することができる。また、許容電流値が小さい個々の導電性繊維に対して１つのコネクタからまとめて電流を供給することができる。
【００４１】
請求項１３に係る発明によれば、接触部が、導電性繊維が織り込まれた布地からなることにより、接触部として金属等の剛性素材を使用した場合に比べて衣類の柔軟性が損なわれることが無く、衣類が本来有している優れた着用感を維持することができる。
【００４２】
請求項１４に係る発明によれば、複数の雄型コネクタが１枚の布地に対して固定されていることにより、複数の雌型コネクタに対する脱着を一括して行うことが可能となる。そのため、衣類を構成する導電性繊維と外部の電子機器とが多数の導線で接続されている場合において、外部機器の取り付け・取り外し作業が非常に容易になる。
また、複数の雄型コネクタが布地を介して一体化されることにより、衣類に取り付けた際に柔軟性が損なわれることが無い。
【００４３】
請求項１５に係る発明によれば、接触部が導電性繊維と接触する部分に凹部を有していることにより、導電性繊維と接触部との密着性を向上させることが可能となる。
【００４４】
請求項１６に係る発明によれば、布地の表面側に配置された接触部と、裏面側に配置されたプレートとを突片によって物理的に固定することから、コネクタを広い範囲で安定して布地に固定することが可能となる。そのため、複数本の導電性繊維に対しても安定した電気的接合を得ることができ、コネクタの布地への固定強度も大きくなる。
【００４５】
請求項１７に係る発明によれば、プレートが接触部と一体化されていることにより、部材の点数を減らすことができるとともに、コネクタの装着作業も容易に行うことが可能となる。
【００４６】
請求項１８及び１９に係る発明によれば、導電性繊維とコネクタとの間の電気抵抗を小さくすることができ、導電性繊維に電気的に接合された電子機器を良好に作動させることが可能となる。
【００４７】
請求項２０に係る発明によれば、固定部が別部材からなることにより、コネクタの形状を単純化することができ、量産が容易となり、製造コストを低減することが可能となる。
【００４８】
請求項２１に係る発明によれば、固定部が打込みリベット又は先端が尖っている釘状の部材からなるため、接触部や布地に下穴をあける必要がなく、コネクタを布地に装着するために要する作業時間を削減することができる。
【００４９】
請求項２２に係る発明によれば、表面が絶縁性を有する樹脂で被覆されているため、感電を防止することができるとともに、コネクタが布地に擦れて布地を傷めることも防止できる。また、コネクタの色を周囲の布地に合わせることが容易となり、コネクタが目立たなくなって衣類の意匠性を高めることができる。
【発明を実施するための最良の形態】
【００５０】
本発明に係るコネクタは、布地表面に導電性繊維が織り込まれた衣類と外部の電子機器との間を接続することにより、当該導電性繊維と外部の電子機器との間に電気的な接合を得るために用いられるコネクタである。尚、本発明に係るコネクタを介して導電性繊維に接続される電子機器は特に限定されず、電力の供給によって動作する機器であればよく、コンピュータ等の多数の電子部品から構成される機器の他に、ＬＥＤ等の電子部品単体も含まれる。
以下、本発明に係るコネクタの好適な実施形態について、適宜図面を参照しながら説明する。
【００５１】
図１は本発明に係るコネクタの第一実施形態を示す斜視図であり、図２及び図３は第一実施形態に係るコネクタの取り付け方法を示す図である。
第一実施形態に係るコネクタ（１）は、衣類を構成する布地（１０）の表面に織り込まれた導電性繊維（１１）に密接して電気的接合を形成する接触部（２）と、導電性繊維（１１）の周囲の布地（１０）に対して固定される固定部（３）と、外部の電子機器（図示せず）と接続するための導線（１４）を固定する導線接続部（４）とを備えている。
【００５２】
第一実施形態に係るコネクタ（１）は、接触部（２）と固定部（３）と導線接続部（４）とが一体の部材として形成されており、全体が銅等の金属素材からなる。
接触部（２）は平面視長方形の平板状に形成されており、その裏面が前記導電性繊維（１１）に対して密接されることにより、該導電性繊維との間で電気的接合を形成することができる。
接触部（２）は、導電性繊維（１１）の長さ方向に沿って延びており（図２（ａ）参照）、１本の導電性繊維（１１）のみに対して密接可能とされている。
【００５３】
固定部（３）は、接触部（２）を構成する長方形板の対向する２つの辺（長辺）に沿って夫々形成された複数（図示例では夫々の辺に沿って３つで合計６つ）の突片（以下、突片（３）という）からなる。ここで、一方の辺に沿って設けられた突片（３）と他方の辺に沿って設けられた突片（３）は、後述するように布地（１０）の裏面側で折り曲げたときに重ならない位置にずらして配置されている（図３（ｂ）参照）。
本発明では、このように突片を折り曲げたときに重ならない位置に配置することが好ましいが、重なる位置に配置してもよい。
突片（３）は、接触部（２）を構成する平板面に対して垂直下向きに突出している。
突片（３）の形状は、布地（１０）を容易に貫通することができるように先端が尖った形状とする必要があり、図示例では先端が鋭角となった二等辺三角形状の薄片とされている。
【００５４】
導線接続部（４）は円筒状であって、その長さ方向が接触部（２）を構成する長方形状平板の長辺方向と同方向となるように、接触部（２）の一端部（長方形の短辺部）に設けられている。
【００５５】
第一実施形態に係るコネクタを衣類を構成する布地（１０）の表面に取り付ける場合、コネクタ（１）の接触部（２）が導電性繊維（１１）の表面に被さる位置に配置した後、突片（３）を布地（１０）の表面から裏面に向けて貫通させる（図２参照）。
続いて、布地（１０）を貫通した突片（３）を、布地（１０）の裏面において直角に折り曲げることにより、接触部（２）が導電性繊維（１１）に対して密接した状態で、コネクタ（１）が布地（１０）に対して固定される（図３参照）。尚、図３（ｂ）はコネクタを固定した布地（１０）を裏面側から見た図である。
【００５６】
導線接続部（４）の円筒の穴部分には、外部の電子機器（図示せず）と接続するための導線（例えば被覆銅線）（１４）が挿入されて圧着固定される（図２参照）。
これにより、導電性繊維（１１）と外部の電子機器とが、導線（１４）及びコネクタ（１）を介して電気的に接続される。
尚、本発明において、導線接続部（４）に固定される導線（１４）の本数は図２及び図３に示すように１本であってもよいし、図４に示すように複数本（図では２本）であってもよい。
複数本の導線（１４）を固定した場合、複数の情報を複数の電子機器に供給することが可能となる。
【００５７】
以上説明した第一実施形態に係るコネクタ（１）は、固定部（３）が導電性繊維（１１）の周囲の布地（１０）に対して固定されるため、布地が変形した場合においても、導電性繊維に対して直接大きな応力が作用することがなく、破損が生じにくい。
また、固定部（３）が布地を貫通した後に折曲される複数の突片からなることにより、コネクタ（１）を確実且つ容易に布地（１０）に取り付けることが可能である。
【００５８】
本発明では、第一実施形態のコネクタにおいて、導線接続部（４）を、接触部（２）と一体に形成された雌部材（４１）と、導線（１４）が固定される雄部材（４２）の２部材から構成することができる（図５参照）。
雄部材（４２）は、一端側（導線と反対側）に円筒状の雌部材（４１）に対して挿脱可能な円柱状の接続部（４２ａ）を備えており、他端側に導線（１４）が圧着固定される円筒部（４２ｂ）を備えている。
これにより、雌部材（４１）に対して雄部材（４２）が係脱可能となり、衣類に対して外部の電子機器の接続及び離脱を簡単に行うことができるようになる。
【００５９】
更に、本発明においては、図６（ａ）に示すように、コネクタ（１）の接触部（２）の表面を覆うように可撓性素材からなるカバー（６）を取り付けることができる。
カバー（６）の素材は、可撓性を有する素材であれば特に限定されないが、例えば軟質ゴム、軟質合成樹脂、布地等が好適に用いられる。
カバー（６）は、コネクタ（１）の接触部（２）の表面全体を覆うことができる面積（接触部よりも一回り大きい外形）を有するプレート状部（６１）と、コネクタ（１）の導線接続部（４）の表面を覆う筒状部（６２）とを備えている（図６（ｂ）参照）。
【００６０】
図６（ａ）は、コネクタ（１）に対してカバー（６）を取り付けた状態を示す斜視図である。
図示の如く、カバー（６）は、導電性繊維（１１）が織り込まれた布地（１０）に固定されたコネクタ（１）の接触部（２）及び固定部（３）の表面を覆うように取り付けられる。
カバー（６）の筒状部（６２）の内部にはコネクタ（１）の導線接続部（４）が嵌入され、これによりコネクタ（１）とカバー（６）とが一体化される。
【００６１】
コネクタ（１）の接触部（２）が剛性素材である金属から形成されている場合、導電性繊維が織り込まれた布地（１０）が変形して、導電性繊維が接触部（２）に接触すると、接触部位に応力集中が生じ、導電性繊維が破断するおそれがある（図７（ａ）参照）。
そこで、コネクタ（１）の接触部（２）の表面を覆うように可撓性素材からなるカバー（６）を取り付けることにより、導電性繊維が織り込まれた布地（１０）が変形した場合においても、導電性繊維がコネクタ（１）の接触部（２）に直接接触することが防がれるとともに、比較的大きなアールを有して変形するようになるため、導電性繊維に作用する応力が分散され、導電性繊維が破断するおそれがなくなる（図７（ｂ）参照）。
【００６２】
図８は本発明に係るコネクタの第二実施形態を示す図であり、（ａ）は取り付け方法を示す図、（ｂ）は取り付けた状態を示す図である。
第二実施形態に係るコネクタ（１）は、衣類を構成する布地（１０）の表面に織り込まれた導電性繊維（１１）に密接して電気的接合を形成する接触部（２）と、導電性繊維（１１）の周囲の布地（１０）に対して固定される固定部（３）とを備えているが、導線接続部（４）を備えていない。
つまり、第二実施形態のコネクタは、接触部（２）及び固定部（３）の構成は第一実施形態のコネクタと同じであり、導線接続部（４）を備えていない点のみにおいて異なっている。
【００６３】
第二実施形態のコネクタは、第一実施形態のコネクタと同様に、突片（３）を布地（１０）の表面から裏面に向けて貫通させた後、貫通した突片（３）を、布地（１０）の裏面において直角に折り曲げることにより、布地（１０）に対して固定される。
このとき、接触部（２）と導電性繊維（１１）との間に、外部の電子機器（図示例ではＬＥＤ）（１７）の端子又は該端子に接続された導線が挟まれて固定される。
これにより、導電性繊維（１１）と外部の電子機器（１７）とが、コネクタ（１）の接触部（２）を介して電気的に接合される。
【００６４】
第二実施形態のコネクタは、導線接続部（４）を有していないため、小型化が容易であり、衣類表面の様々な箇所においてコネクタを目立たせずに装着することが可能である。
また、このコネクタは、衣類の様々な箇所に装着できることから、装着性を損なわないために可撓性を有するように構成することが好ましい。具体的には、例えば、接触部（２）を導電性繊維が織り込まれた布地から構成することができる。
【００６５】
図９は本発明に係るコネクタの第三実施形態を示す図であり、図１０は第三実施形態に係るコネクタ（１）の取り付け方法を示す図である。
第三実施形態に係るコネクタは、接触部（２）を備えた部材と、固定部（３）を備えた部材と、導線接続部（４）を備えた部材とが夫々別部材とされている。
そして、接触部（２）を備えた部材が導電性繊維（１１）が織り込まれた布地（１０）の表面側に配置され、固定部（３）を備えた部材が布地（１０）の裏面側に配置されることにより、両部材で該布地を挟み込むように構成されている。
【００６６】
また、接触部（２）を備えた部材と、導線接続部（４）を備えた部材は、互いに係脱可能な雄部材及び雌部材から構成されている。
図示例では、接触部（２）を備えた部材が雌型ホックからなる雌部材（２２）とされ、導線接続部（４）を備えた部材が雄型ホックからなる雄部材（２１）とされており、雌部材（２２）が布地（１０）に対して固定される。
【００６７】
雄部材（２１）は、裏面中央に突起（２１ａ）を有する円板状部分と、該円板状部分の側縁部に一体に設けられた円筒状の導線接続部（４）とから構成されている。
雌部材（２２）は、円板状の部材であって、その裏面が導電性繊維（１１）と密接する接触部（２）となる。雌部材（２２）の表面中央には穴（２２ａ）が形成され、穴（２２ａ）の周囲には複数の貫通孔（２２ｂ）が形成されている。
そして、雄部材（２１）の突起（２１ａ）は、雌部材（２２）の穴（２２ａ）に対して係脱可能とされている。
【００６８】
雌部材（２２）は、固定部（３）を利用して布地（１０）に対して固定される。
固定部（３）は、接触部（２）を備えた部材とは別部材とされた円環状の部材に設けられている（図９参照）。
具体的には、円環状部材の周方向に沿って形成された複数の突片が固定部（３）となっており、突片（以下、突片（３）という）は円環状部材の平面部に対して垂直上向きに突出している。
突片（３）の形状は、先端が尖った形状であれば特に限定されないが、図示例では先端が鋭角となった二等辺三角形状の薄片とされている。
【００６９】
第三実施形態に係るコネクタ（１）の取り付け方法について説明する。
先ず、雌部材（２２）を、衣類を構成する布地（１０）の表面に固定する。
固定に際しては、布地（１０）の表面側に雌部材（２２）を配置し、裏面側に突片（３）を備えた円環状部材を配置し、突片（３）を布地（１０）及び雌部材（２２）に形成された貫通孔（２２ｂ）に貫通させた後、表面で直角に折り曲げる（図１０（ａ）参照）。
続いて、雄部材（２１）の突起（２１ａ）を雌部材（２２）の穴（２２ａ）に対して挿着する（図１０（ｂ）参照）。
これにより、雌部材（２２）の裏面に設けられた接触部（２）が導電性繊維（１１）に対して密接した状態で、コネクタ（１）が布地（１０）に対して固定される。
【００７０】
導線接続部（４）の円筒の穴部分には、外部の電子機器（図示せず）と接続するための導線（例えば被覆銅線）（１４）が挿入されて圧着固定される。
これにより、導電性繊維（１１）と外部の電子機器とが、導線（１４）及びコネクタ（１）を介して電気的に接続される。
【００７１】
本発明においては、図示しないが、第三実施形態に係るコネクタにおいて、接触部（２）を備えた部材（雌部材（２２））と、導線接続部（４）を備えた部材（雄部材（２１））を一体に形成してもよい。
この場合、例えば、図９及び図１０に示す雄部材（２１）を無くして、雌部材（２２）の円板状部分の側縁部に対して一体に導線接続部（４）を設ければよい。
【００７２】
また、本発明においては、コネクタ（１）の表面を覆うように、ゴムや合成樹脂等の絶縁性素材から形成された絶縁カバー（７）を取り付けることができる。
図１１は、雄部材（２１）及び雌部材（２２）に対して絶縁カバー（７）を取り付けた例を示しており、絶縁カバー（７）により覆われた部分を斜線で示している。
図示例では、雄部材（２１）の表面及び側面、雌部材（２２）の側面が絶縁カバー（７）により覆われている。また、図示していないが、導線接続部（４）の表面も絶縁カバーで覆ってもよい。
このように絶縁カバー（７）を取り付けることにより、感電を防ぐことができる。
【００７３】
図１２は本発明に係るコネクタの第四実施形態を示す図であり、図１３は第四実施形態に係るコネクタの取り付け方法を示す図である。
第四実施形態に係るコネクタ（１）は、接触部（２）と固定部（３）と導線接続部（４）とが一体の部材として形成されている。
第四実施形態に係るコネクタ（１）は、固定部（３）及び導線接続部（４）は第一実施形態のコネクタと同様であるが、接触部（２）の構成が第一実施形態のコネクタと異なっている。
【００７４】
第一の相違点は、接触部（２）の面積である。
第一実施形態では、接触部（２）が１本の導電性繊維（１１）のみに密接する面積を有するものであったが、第三実施形態では、互いに平行に配置された複数本（図示例では５本）の導電性繊維（１１）に密接可能な面積を有している。
【００７５】
第二の相違点は、接触部（２）を構成する部材の素材である。
第一実施形態では、接触部（２）が金属から形成されていたが、第三実施形態では、接触部（２）が、互いに平行に配置された複数本（図示例では５本）の導電性繊維（１２）が織り込まれた布地（１３）から形成されている。
衣類を構成する布地（１０）に織り込まれた導電性繊維（１１）と、コネクタ（１）の接触部（２）を構成する布地（１３）に織り込まれた導電性繊維（１２）とは、同数且つ同間隔で配置されている。
これにより、接触部（２）を布地（１０）に固定した時に、布地（１０）の個々の導電性繊維（１１）に対して、接触部（２）の個々の導電性繊維（１２）を夫々密接させることが可能となる。
【００７６】
また、接触部（２）を構成する布地（１３）に織り込まれた複数本の導電性繊維（１２）は、一端部において１本に合流しており、合流部分において導電性繊維（１２）と電気的に導通可能な円筒状の導線接続部（４）が取り付けられている。
これにより、外部の電源（図示せず）と接続された１本の導線から導線接続部（４）を介して流される電流を、複数本の導電性繊維（１２）に分岐させて供給することが可能となる。
【００７７】
接触部（２）を構成する布地（１３）には、金属製の固定部（３）が設けられている。
固定部（３）は複数の突片（以下、突片（３）という）からなり、接触部（２）を構成する布地面に対して垂直下向きに突出している。
尚、図１３（ａ）では、説明の都合上、コネクタ（１）が取り付け時とは上下反対の状態で描かれているため、突片（３）が上向きとなっている。
突片（３）の形状は、布地（１０）を容易に貫通できるように先端が尖った形状とされており、図示例では先端が鋭角となった二等辺三角形状の薄片とされている。
突片（３）は、布地（１３）の側縁部及び導電性繊維（１２）同士の間に設けられている。
【００７８】
第四実施形態に係るコネクタ（１）の取り付け方法について説明する。
先ず、コネクタ（１）の接触部（２）を導電性繊維（１１）の表面に被せるようにして（図１３（ａ）参照）、突片（３）を布地（１０）の表面から裏面に向けて貫通させる。このとき、導電性繊維（１１）と導電性繊維（１２）が重なるようにする。
続いて、布地（１０）を貫通した突片（３）を、布地（１０）の裏面において直角に折り曲げることにより、接触部（２）の導電性繊維（１２）が導電性繊維（１１）に対して密接した状態で、コネクタ（１）が布地（１０）に対して固定される（図１３（ｂ）参照）。
【００７９】
導線接続部（４）の円筒の穴部分には、外部の電子機器（図示せず）と接続するための導線（例えば被覆銅線）（１４）が挿入されて圧着固定される。
これにより、複数本の導電性繊維（１１）と外部の電子機器とが、導線（１４）及びコネクタ（１）を介して電気的に接続される。
【００８０】
第四実施形態のコネクタ（１）は、接触部（２）が衣類を構成する布地（１０）に織り込まれた複数本の導電性繊維（１１）に密接可能な面積を有することにより、１つのコネクタで複数本の導電性繊維との電気的接合が同時に得られ、コネクタの数を削減することができる。
【００８１】
しかし、接触部（２）として金属等の剛性素材を使用した場合、接触部（２）の面積が大きくなると、衣類の柔軟性が大きく損なわれ、着用者の動きが阻害されるおそれがある。
そこで、第四実施形態のコネクタ（１）では、接触部（２）を導電性繊維（１１）が織り込まれた布地（１３）から構成することにより、衣類の柔軟性が損なわれることが無いようにした。
【００８２】
図１４は、本発明に係るコネクタ（１）の第五実施形態を示す図である。
第五実施形態に係るコネクタ（１）は、図１４（ａ）に示すように、雄型コネクタ（１ａ）と雌型コネクタ（１ｂ）とから構成されており、これら２つのコネクタは互いに係脱可能とされている。
【００８３】
雌型コネクタ（１ｂ）は、第一実施形態のコネクタと同じ形状であって、同じ方法により衣類を構成する布地（１０）に対して固定される。
但し、雌型コネクタ（１ｂ）の接触部（２ｂ）及び固定部（図１４には表れていない）は第一実施形態のコネクタの接触部（２）及び固定部（３）と同様に機能するが、雌型コネクタ（１ｂ）における第一実施形態のコネクタの導線接続部（４）に相当する円筒状部分は、導線を接続する部分としてではなく、雄型コネクタ（１ａ）を接続するコネクタ接続部（４ｂ）として機能する。
第五実施形態においては、複数個（図示例では３個）の雌型コネクタ（１ｂ）が、衣類を構成する布地（１０）に織り込まれた複数本の導電性繊維（１１）に対して接触部（２ｂ）が密接するように、該布地に対して夫々所定間隔を有して固定される。
【００８４】
雄型コネクタ（１ａ）は、第一実施形態のコネクタと同様の接触部（２ａ）、固定部（図１４には表れていない）、導線接続部（４ａ）を備えている。また、接触部（２ａ）の先端側（導線接続部と反対側）に、雌型コネクタ（１ｂ）に対して接続するためのコネクタ接続部（５）を更に備えている。
コネクタ接続部（５）は、雌型コネクタ（１ｂ）のコネクタ接続部（４ｂ）に対して挿脱可能な円柱状に形成されている。
【００８５】
第五実施形態においては、複数個の雄型コネクタ（１ａ）が、衣類を構成する布地（１０）とは異なる１枚の布地（１５）に対して間隔をあけて固定されている。尚、この布地（１５）は、複数個の雄型コネクタ（１ａ）を一体化する目的で使用されているものであり、導電性繊維は織り込まれていない。
雄型コネクタ（１ａ）の数及び間隔は、雌型コネクタ（１ｂ）の数及び間隔と同じに設定される。
【００８６】
雄型コネクタ（１ａ）と雌型コネクタ（１ｂ）とは、図１４（ｂ）に示すように、コネクタ接続部（５）をコネクタ接続部（４ｂ）に対して挿着することにより接続される。
これにより、衣類を構成する布地（１０）に織り込まれた導電性繊維（１１）から、雄型コネクタ（１ａ）の導線接続部（４ａ）に固定された導線（１４）に至る電気的導通を得ることができる。
【００８７】
第五実施形態のコネクタによれば、複数の雄型コネクタ（１ａ）が１枚の布地に対して固定されていることにより、複数の雌型コネクタ（１ｂ）に対する脱着を一括して行うことが可能となる。そのため、衣類を構成する導電性繊維と外部の電子機器とが多数の導線で接続されている場合において、外部の電子機器の取り付け・取り外し作業が非常に容易になる。
また、複数の雄型コネクタ（１ａ）を一体化するために、金属板等の剛性素材ではなく布地を使用していることにより、衣類の柔軟性が損なわれることが無い。
【００８８】
図１５は、第五実施形態の変形例を示す図である。
この変形例のコネクタ（１）も、第五実施形態と同様に、雄型コネクタ（１ａ）と雌型コネクタ（１ｂ）とから構成されており、これら２つのコネクタは互いに係脱可能とされている（図１５（ａ）参照）。
【００８９】
雌型コネクタ（１ｂ）としては、第三実施形態のコネクタの雌型ホックからなる雌部材（２２）（図９参照）が利用されており、第三実施形態のコネクタの雌部材（２２）と同じ方法で複数の突片（３）を備えた部材により衣類を構成する布地（１０）に対して固定されている。
複数個（図では３個）の雌型コネクタ（１ｂ）は、衣類を構成する布地（１０）に織り込まれた複数本の導電性繊維（１１）に対して接触部（２）が密接するように、該布地に対して夫々所定間隔を有して固定されている。
【００９０】
雄型コネクタ（１ａ）としては、第三実施形態のコネクタの雄型ホックからなる雄部材（２１）（図９参照）が利用されている。
複数個の雄型コネクタ（１ａ）は、衣類を構成する布地（１０）とは異なる１枚の布地（１５）に対して間隔をあけて固定されている。尚、この布地（１５）は、複数個の雄型コネクタ（１ａ）を一体化する目的で使用されているものであり、導電性繊維は織り込まれていない。
雄型コネクタ（１ａ）の布地（１５）への固定方法は、接着剤などを用いて接着してもよいし、雌型コネクタ（１ｂ）の固定方法と同様に、複数の突片（３）を備えた部材を用いて布地（１５）を表裏から挟んで固定してもよい。この場合、雄型コネクタ（１ａ）に突片（３）を通すための穴を設けることは勿論である。
雄型コネクタ（１ａ）の数及び間隔は、雌型コネクタ（１ｂ）の数及び間隔と同じに設定される。
【００９１】
この変形例においても、上述した第五実施形態と同様の効果が得られるとともに、ホックによる係脱方式を採用しているため、衣類に対する外部の電子機器の取り付け・取り外しの作業が一層容易となる。
【００９２】
図１６は、本発明に係るコネクタの第六実施形態を示す図である。
第六実施形態に係るコネクタ（１）は、第一実施形態のコネクタにおいて、固定部（突片）（３）が、接触部（２）を構成する面に対して垂直上向きと垂直下向きの２方向に突出している。
このように固定部（３）が上下方向に突出していることにより、コネクタ（１）の接触部（２）の表面側（上側）と裏面側（下側）に布地を固定することができ、１つのコネクタを２枚の布に接合することが可能となる。
従って、例えば図示の如く、１つのコネクタ（１）を、導電性繊維（１１）が表面に織り込まれた衣類を構成する布地（１０）と、導電性繊維が織り込まれていない布地（１６）との２枚の布地に対して接合することができる。尚、図１６において、コネクタの接触部（２）が固定される部分を、布地（１０）（１６）に仮想線（二点鎖線）で示している。
また、図示しないが、図１６において布地（１６）に導電性繊維を織り込み、１つのコネクタ（１）を、上下２枚の導電性繊維（１１）が表面に織り込まれた衣類を構成する布地に対して接合するようにしてもよい。
【００９３】
図１７は、本発明に係るコネクタの第七実施形態を示す図であり、（ａ）はコネクタの取り付け方法を示す図、（ｂ）はコネクタを固定した布地を裏面側から見た図、（ｃ）は変更例を示す図である。
第七実施形態に係るコネクタ（１）は、布地（１０）の表面に接触部（２）が密接するように配置される第一実施形態と同じコネクタ（以下、表面側コネクタという）に加えて、布地（１０）の裏面に密接されるプレート（１８）を備えているものである。
プレート（１８）は、接触部（２）と略同じ形状を有しており、金属等の剛性素材から形成されている。そして、表面側コネクタの接触部（２）から下向きに突出している突片（３）に対応する箇所に孔（１９）を備えている。
【００９４】
第七実施形態に係るコネクタを、衣類を構成する布地（１０）に取り付ける場合、表面側コネクタを布地（１０）の表面側の導電性繊維（１１）の上方位置に配置し、プレート（１８）を布地（１０）の裏面側に配置する。
次いで、突片（３）を布地（１０）の表面から裏面に向けて貫通させ、プレート（１８）の孔（１９）に挿入する（図１７（ａ）参照）。
続いて、布地（１０）を貫通した突片（３）を、プレート（１８）の裏面において直角に折り曲げる（図１７（ｂ）参照）。
これにより、表面側コネクタの接触部（２）が導電性繊維（１１）に対して密接し、プレート（１８）が布地の裏面に密接した状態で、コネクタ（１）が布地（１０）に対して固定される。
【００９５】
第七実施形態のコネクタでは、布地（１０）の表面側に配置された接触部（２）と、裏面側に配置されたプレート（１８）とを突片（３）によって物理的に固定することから、コネクタを広い範囲で安定して布地に固定することが可能となり、複数本の導電性繊維に対しても安定した電気的接合を得ることができ、コネクタの布地への固定強度も大きくなる。
【００９６】
また、第七実施形態に係るコネクタにおいて、図１７（ｃ）に示すように、プレート（１８）と接触部（２）とを一体化することもできる。
図示例では、プレート（１８）と接触部（２）とが互いの一端部にてＶ字状に連結されており、矢印で示すように一端部を支点としてプレート（１８）を折り曲げて使用する。これにより、プレート（１８）と接触部（２）との間に布地（１０）を挟み込むと同時に、突片（３）をプレート（１８）の孔（１９）に挿入することができる。
【００９７】
図１８は、本発明に係るコネクタの第八実施形態を示す図である。
第八実施形態に係るコネクタ（１）は、衣類を構成する布地（１０）の表面に織り込まれた導電性繊維（１１）に密接して電気的接合を形成する接触部（２）と、導電性繊維（１１）の周囲の布地（１０）に対して固定される固定部（３）と、外部の電子機器（図示せず）と接続するための導線（１４）を固定する導線接続部（４）とを備えている。
【００９８】
接触部（２）は、布地（１０）の表面側に配置された金属製のプレートからなり、図示例では布地（１０）の裏面側に配置されたプレートと一体化されて、布地（１０）を表裏面から挟み込んでいる。
但し、接触部（２）を構成する布地（１０）の表面側のプレートと、裏面側のプレートは別部材としてもよい。
【００９９】
固定部（３）は、接触部（２）とは別部材とされており、接触部（２）を構成する部材及び布地（１０）を貫通するように設けられる。
具体的には、固定部（３）は、打込みリベット、中空リベット、無空リベット等のリベット、ネジ、ボルト、先端が尖っている釘状の部材（以下、釘状部材という）等からなる。これらのうち、打込みリベット又は釘状部材が好適に使用される。
固定部（３）が打込みリベット又は釘状部材である場合、固定部（３）は接触部（２）を構成する部材及び布地（１０）を表面側から裏面側に向けて貫通し、貫通した先端部分が布地（１０）の裏面側においてかしめられる。これにより、接触部（２）が布地（１０）に対して固定される。図１８（ｂ）は、固定部（３）として打込みリベットを使用した例を示している。
固定部（３）がネジやボルトである場合には、接触部（２）や布地（１０）に下穴をあける必要があるが、打込みリベット又は釘状部材である場合には下穴をあける必要がない。そのため、コネクタ（１）を布地（１０）に装着するために要する作業時間を削減することができる。
【０１００】
第八実施形態において、導線接続部（４）を省略し、第二実施形態のコネクタのように、接触部（２）と導電性繊維（１１）との間に、外部の電子機器の端子又は該端子に接続された導線を挟んで固定してもよい。
【０１０１】
本発明においては、上記した全ての実施形態において、導電性繊維（１１）が表面に織り込まれた布地（１０）と、コネクタの接触部（２）との間を導電性接着剤で封止することができる。これにより、布地に織り込まれた導電性繊維とコネクタ接触部との間に良好な電気的接合を得ることが可能となる。
【０１０２】
また、本発明においては、上記した全ての実施形態において、コネクタの接触部（２）の導電性繊維（１１）と接触する面に、凹部を形成することができる。これにより、導電性繊維（１１）と接触部（２）との密着性を向上させることが可能となる。
図１９（ａ）はＶ字溝状の凹部（８）を形成して該凹部に導電性繊維（１１）を嵌め込んだ例、図１９（ｂ）は四角溝状の凹部（８）を形成して該凹部に導電性繊維（１１）を嵌め込んだ例、図１９（ｃ）は山形状の２つの凸部の間に形成された凹部（８）に導電性繊維（１１）を嵌め込んだ例である。
但し、これら図示した形状は一例であり、導電性繊維（１１）と接触部（２）との密着性を向上させることができれば、他の形状の凹部（凹凸を含む）を形成してもよい。
【０１０３】
更に、本発明においては、接触部（２）だけでなく固定部（３）も、衣類を構成する布地に織り込まれた導電性繊維（１１）に接触するようにしてもよい。
例えば、第一実施形態において、導電性繊維（１１）を布地（１０）の表面と裏面に交互に露出させて、表面に露出した導電性繊維に接触部（２）を接触させ、裏面に露出した導電性繊維に折り曲げた固定部（突片）（３）を接触させるようにしてもよい。
このように、接触部（２）だけでなく固定部（３）も導電性繊維（１１）に接触させることにより、より確実な電気的接合を得ることが可能となる。
【０１０４】
本発明に係るコネクタは、上述した実施形態において、布地（１３）（１５）以外の部分は銅等の金属素材から形成される。
ここで、金属素材から形成される部分については、導電性繊維に使用される導電性物質に比べてイオン化傾向の小さい金属により製作するか、もしくは、導電性繊維に使用される導電性物質に比べてイオン化傾向の小さい金属により被覆（メッキ）されていることが好ましい。
これは、コネクタに使用される金属が、導電性繊維に使用される導電性物質と比較してイオン化傾向が大きい金属（卑金属）の場合、コネクタと導電性繊維との間の電気抵抗が大きくなってしまうことから、これを防ぐためである。
例えば、導電性繊維として、硫化銅を析出させて導電性を確保しているものを使用する場合、コネクタに金メッキを施すことにより、導電性繊維とコネクタとの間の電気抵抗を小さくすることができる。
尚、イオン化傾向の小さい金属を使用する部位は、コネクタ全体であってもよいし、接触部などのコネクタの一部分であってもよい。
【０１０５】
更に、本発明に係るコネクタは、金属素材から形成される部分の表面を、絶縁性を有する樹脂で被覆することが好ましい。
被覆方法は特に限定されず、例えば、樹脂をコネクタ表面に塗布してもよいし、樹脂を接着剤によりコネクタ表面に接着してもよい。
使用される樹脂の種類は、硬質樹脂でも硬質樹脂でもよく、コネクタを取り付ける場所に応じて適宜選択すればよいが、布地が大きく変形する場所においては、可撓性を有する軟質樹脂を使用することが好ましい。使用する樹脂の一例として、シリコーン樹脂が例示できるが、これに限定はされない。
このようにコネクタ表面を樹脂により被覆することで金属が露出しなくなるため、感電を防止することができる。また、コネクタが布地に擦れて布地を傷めることも防止できる。更に、コネクタの色を周囲の布地に合わせることが容易となり、コネクタが目立たなくなって衣類の意匠性を高めることができる。
【産業上の利用可能性】
【０１０６】
本発明に係るコネクタは、いわゆるウェアラブル・コンピュータへの適用が可能である。
【図面の簡単な説明】
【０１０７】
【図１】本発明に係るコネクタの第一実施形態を示す斜視図である。
【図２】第一実施形態に係るコネクタの取り付け方法を示す図である。
【図３】第一実施形態に係るコネクタの取り付け方法を示す図である。
【図４】第一実施形態に係るコネクタの導線接続部に複数本の導線を接続した状態を示す図である。
【図５】第一実施形態に係るコネクタの導線接続部を雄部材と雌部材とから構成した例を示す図である。
【図６】可撓性素材からなるカバーとその取り付け方法を示す図である。
【図７】可撓性素材からなるカバーの作用を示す図である。
【図８】本発明に係るコネクタの第二実施形態を示す図である。
【図９】本発明に係るコネクタの第三実施形態を示す図である。
【図１０】第三実施形態に係るコネクタの取り付け方法を示す図である。
【図１１】雄部材及び雌部材に対して絶縁カバーを取り付けた例を示している。
【図１２】本発明に係るコネクタの第四実施形態を示す図である。
【図１３】第四実施形態に係るコネクタの取り付け方法を示す図である。
【図１４】本発明に係るコネクタの第五実施形態を示す図である。
【図１５】第五実施形態の変形例を示す図である。
【図１６】本発明に係るコネクタの第六実施形態を示す図である。
【図１７】本発明に係るコネクタの第七実施形態を示す図である。
【図１８】本発明に係るコネクタの第八実施形態を示す図である。
【図１９】本発明に係るコネクタにおいて、接触部の導電性繊維と接触する面に凹部を形成した例を示す部分拡大図である。
【符号の説明】
【０１０８】
１              コネクタ
１ａ            雄型コネクタ
１ｂ            雌型コネクタ
２，２ａ，２ｂ  接触部
３              固定部（突片）
４，４ａ        導線接続部
４１            導線接続部の雌部材
４２            導線接続部の雄部材
７              絶縁カバー
８              凹部
１０            導電性繊維が織り込まれた衣類の布地
１１            導電性繊維
１２            導電性繊維
１３            導電性繊維が織り込まれた布地
１４            導線
１５            衣類を構成する布地とは異なる布地
１８            プレート
１９            孔
２１            雄部材
２２            雌部材
【図１】
2009105027.tif 000003
【図２】
2009105027.tif 000004
【図３】
2009105027.tif 000005
【図４】
2009105027.tif 000006
【図５】
2009105027.tif 000007
【図６】
2009105027.tif 000008
【図７】
2009105027.tif 000009
【図８】
2009105027.tif 000010
【図９】
2009105027.tif 000011
【図１０】
2009105027.tif 000012
【図１１】
2009105027.tif 000013
【図１２】
2009105027.tif 000014
【図１３】
2009105027.tif 000015
【図１４】
2009105027.tif 000016
【図１５】
2009105027.tif 000017
【図１６】
2009105027.tif 000018
【図１７】
2009105027.tif 000019
【図１８】
2009105027.tif 000020
【図１９】
2009105027.tif 000021